(57)【特許請求の範囲】
【請求項１】
所定の周波数帯において高周波を使用するための、集積回路を備える構成部品であって、
同調入力部（８）と、調整入力部（１０）と、共振回路（１）と、デジタル−アナログ−変換器（１２）と、を有しており、
上記共振回路が、
インダクタンス（２）と、
同調入力部（８）と接続する同調ダイオード（７）と、
調整入力部（１０）と接続し、共振回路（１）が示す共振周波数の製造上のずれを補整する調整ダイオード（９）と、
上記同調ダイオード（７）によって調節可能な容量値を有する容量（３）と、を有しており、
上記デジタル−アナログ−変換器（１２）が、
一連の直列抵抗器（１５）と、この直列抵抗器（１５）の間に並列に接続する並列抵抗器（１６）と、ヒュージブルリンク（１７）と、グラウンド電位を受けるためのグラウンド線と、基準電圧を受けるための基準電圧線と、を有し、
メモリーに蓄積されたデジタル値に基づいて上記並列抵抗器（１６）を、上記グラウンド線および基準電圧線からなるグループから選ばれる線へ選択的に接続するように、上記ヒュージブルリンク（１７）を構成することにより、基準電圧から調整電圧を生成して、調整入力部（１０）に出力していることを特徴とする構成部品。
【請求項２】
上記共振回路（１）が、互いに反対の極性を有する２つの同調ダイオ−ド（７）を備えていることを特徴とする、請求項１に記載の構成部品。
【請求項３】
同調電圧が、上記同調ダイオ−ド（７）の間に入力されていることを特徴とする、請求項２に記載の構成部品。
【請求項４】
調整ダイオ−ド（９）が、上記共振回路（１）の容量に対して並列に接続されていることを特徴とする、請求項１ないし３のいずれか１項に記載の構成部品。
【請求項５】
互いに反対の極性を有する２つの調整ダイオ−ド（９）が、上記共振回路（１）の容量に対して並列に接続されていることを特徴とする、請求項４に記載の構成部品。
【請求項６】
調整電圧が、上記調整ダイオ−ド（９）の間に印加されていることを特徴とする、請求項５に記載の構成部品。
【請求項７】
並列抵抗器（１６）の値が、直列抵抗器（１５）の２倍であることを特徴とする、請求項１ないし６の何れか１項に記載の構成部品。
【発明の詳細な説明】
本発明は、同調ダイオ−ドによって、容量の値を、所定の周波数帯が使用できるように調整することができる共振回路を備えた集積高周波回路を有する構成部品に関するものである。
【０００１】
これまで、１．５から３ギガヘルツの周波数帯では、共振回路または信号生成器用の集積構成部品は使用されていない。現在では、不連続なコイルおよび容量ダイオ−ドが使用されるか、複数の集積構成部品からなるモジュ−ルが１つのハウジングに使用されている。
【０００２】
しかし、共振回路または信号生成器を有する集積構成部品に対する需要がある。特に、同調でき、電圧制御された集積構成部品が必要とされている。電圧制御された共振回路用の通常の回路は、少なくとも１つの同調ダイオ−ドを有しており、同調ダイオードにて、順方向とは反対にの極性化されて連結された直流電圧が、バイアス電圧として、かかっている。従って、同調ダイオ−ドの接合容量は、バイアス電圧の単調関数で示される。従って、共振回路は、共振回路の共振周波数を調節することができる、電圧制御された容量を有する。この際、バイアス電圧は、使用できる周波数帯を通り抜けるように作用する。
【０００３】
共振回路を有する、仕上げられた集積構成部品の明細は、バイアス電圧と共振周波数との間の規定された関係を有している。しかし、全回路部品の電気的な特性は、許容範囲で振れることができるので、共振回路の共振周波数を調整する可能性があるに違いない。
【０００４】
「マイクロ波と無線合成器」（Ｕｌｒｉｃｈ Ｌ．Ｒｏｈｄｅ， Ｎｅｗ Ｙｏｒｋ １９５７， Ｓｅｉｔｅｎ ６２ ｕｎｄ ６３）という本から、順方向とは反対に極性化されて接続している直流電圧をバイアス電圧としてダイオ−ドにかけることで、同調ダイオ−ドによって共振回路を精密に制御することが知られている。同調ダイオ−ドと並列に、互いに反対の極性を有する２つの第２、第３の同調ダイオ−ドを備え、これら同調ダイオ−ドの間に、バイアス電圧として直流電圧が入力されることで共振回路の共振周波数を大まかに制御することができる。
【０００５】
従来技術から始まって、本発明の目的は、同調でき、調整することができる電圧制御された共振回路を有する集積構成部品を構成することである。
【０００６】
本課題は、本発明に基づき、共振回路の共振周波数の製造上のずれを、共振回路に配置された第２調整ダイオ−ドによって補整することによって解決される。この場合、調整ダイオ−ドは、デジタル−アナログ−変換機がメモリ−に蓄積されたデジタル値に基づいて基準電圧から生成する調整電圧によって制御されているものである。
【０００７】
本発明に基づく構成部品の場合、使用者が、事前に決定された基準電圧を、構成部品の基準電圧用の入力部に入力するだけで十分である。従って、構成部品は、基準電圧から、各補整に必要な調整電圧を生成する。メモリ−に蓄積されたデジタル値は、便宜上、構成部品の出荷前に最終測定を行う際に査定され、メモリ−に蓄積される。従って、同調電圧と共振周波数との間の規定の関係を保証するためには、使用者が、構成部品に安定した基準電圧を供給するだけで十分である。
【０００８】
本発明の好ましい実施形態では、デジタル−アナログ−変換器は、一連の直列抵抗器によって操作され、直列抵抗器の間には、ヒュージブルリンクを介して、接地配線または基準電圧に選択的に接続することができる並列抵抗器が接続されていることが好ましい。
【０００９】
ヒュージブルリンクおよび抵抗器を用いて、簡単にプログラムすることができるデジタル−アナログ−変換器が製造される。変換器は、ヒュージブルリンクの燃焼によってプログラムすることができる。
【００１０】
さらに、有効な形態は、従属請求項に基づいている。
【００１１】
以下に、添付の図を参照に本発明の実施例を詳述する。
図１は、同調でき、調整することができる電圧制御された共振回路の回路構造を示す。図２は、プログラム可能なデジタル−アナログ−変換器の回路構造を示す。図３Ａから３Ｂは、図２のデジタル−アナログ−変換器のヒュージブルリンク用の調整可能性を示す。
【００１２】
図１は、同調でき、調整できる電圧制御された共振回路１の回路構造を示す。共振回路１は、インダクタンス２および容量３を備えており、接地端子４と、連結コンデンサ５を介して信号出力部６とに接続している。容量３に対して並列に、互いに反対に極性化されている２つの同調ダイオ−ド７が接続しており、これらの間には、同調入力部８にかかる同調電圧がある。同じく、容量３に対して並列に、互いに反対の極性を有する調整ダイオ−ド９が接続されており、これらの間には、調整入力部１０にかかる調整電圧がある。同調入力部８と調整入力部１０とは、バイアス抵抗器１１によってそれぞれ保護されている。同調ダイオ−ド７と調整ダイオ−ド９とは、いわゆる容量ダイオ−ドであり、その接合容量は、順方向とは反対の方向に極性化される場合には、容量ダイオ−ドにかかっている電圧の単調関数で示される。図１に示す回路構造の場合、同調入力部８に入力される同調電圧が大変高いため、同調ダイオ−ド７は、ある作動点に調節される。この作動点で、同調ダイオ−ド７の接合容量は、同調入力部８にかかっている同調電圧の単調関数で示される。同様に、調整入力部１０にかかっている調整電圧は、調整ダイオ−ド９を作動点になるように調整し、この作動点では、調整ダイオ−ド９の接合容量は、調整電圧の単調関数で示される。同調ダイオ−ド７と調整ダイオ−ド９とは、共振回路１から生成される変換電流信号によって、その作動点においてほんの少しだけ偏向されるので、基本的には、同調ダイオ−ド７および調整ダイオ−ド９の容量は一定であると考えられる。従って、同調電圧と調整電圧とによって、共振回路の全容量が制御される。特に、共振回路１の共振周波数を、同調電圧の変化によって変化させることができる。
【００１３】
集積構成部品の場合、各同調電圧と共振周波数との間に規定された関係が成り立つことが望ましい。しかし、インダクタンス２および容量３ならびに同調ダイオ−ド７の電気的な特性は、製造に起因して、特定の事前に設定された許容範囲で振れる。従って、振れを均衡する可能性が成り立てば利点である。この目的のために、調整ダイオ−ド９が、調整電圧に応じて組み立てに起因する許容差を補整することで役立ち、このことにより、調整電圧と共振周波数との間の規定の関係が保証される。
【００１４】
図２は、構成部品に統合できるデジタル−アナログ−変換器を示す。この変換器は、基準入力部１３に入力される基準電圧から、調整電圧を調整入力部１４に生成するのに使用される。
【００１５】
デジタル−アナログ−変換器１２は、一連の直列抵抗器１５を備えた、反転されて作動するプログラムが可能なコンダクターネットワークを備えている。一連の直列抵抗器１５は、調整出力部１４に接続している。直列抵抗器１５に対して並列に、並列抵抗器１６が接続されている。
【００１６】
残っている並列抵抗器１６は、組になって存在するヒュージブルリンクを介して、接地部または基準入力部に選択的に接続することができる。ヒュージブルリンク１７とは、いわゆるフュ−ズとも、アンチフュ−ズともする。さらに、ヒュージブルリンク１７を焼くように作用するフュ−ズ入力部１８が備えられている。この目的のために、フュ−ズ入力部１８と基準入力部１３に電圧が入力される。電圧の高さは、両方のヒュージブルリンク１７のどちらかを遮断するか、または閉環するようにその都度選択される。
【００１７】
図３Ａ、３Ｂに、考えられる接続状態を示す。図Ａ３の接続状態は、論理１を示す。一方、図３Ｂの接続状態は、論理０を示す。従って、２ｎ＋１の直列抵抗器１５と、並列抵抗器１６と、２ｎのヒュージブルリンク１７（ｎビットのデジタル−アナログ−変換器を示す）とを有するコンダクターネットワークには、
【００１８】
【数１】
0003611820.tif 000002
【００１９】
である。
【００２０】
集積構成部品の仕上げの範囲では、最終測定の時に、共振回路１の同調電圧と共振周波数との間の各関係を決定することができ、ヒュージブルリンク１７を焼くことによって補整される。特に有利な点は、共に集積されている回路要素を用いて調整が行われることである。
【図面の簡単な説明】
【図１】同調でき、調整することができる電圧制御された共振回路の回路構造図である。
【図２】プログラム可能なデジタル−アナログ−変換器の回路構造図である。
【図３Ａ】図２のデジタル−アナログ−変換器のヒュージブルリンク用の調整可能性を示す図である。
【図３Ｂ】図２のデジタル−アナログ−変換器のヒュージブルリンク用の調整可能性を示す図である。
【符号の説明】
１     共振回路
２     インダクタンス
３     容量
４     接地端子
５     連結コンデンサ
６     信号出力部
７     同調ダイオ−ド
８     同調入力部
９     調整ダイオ−ド
１０    調整入力部
１１    バイアス抵抗器
１２    デジタル−アナログ−変換器
１３    基準入力部
１４    調整出力部
１５    直列抵抗器
１６    並列抵抗器
１７    ヒュージブルリンク
１８    フュ−ズ入力部
【図１】
0003611820.tif 000003
【図２】
0003611820.tif 000004
【図３Ａ】
0003611820.tif 000005
【図３Ｂ】
0003611820.tif 000006